(57)【要約】【課題】特別な装置を用いたり、特別な工程を設けたりすることなく製造でき、掴みやすく、注ぎやすい、また、廃棄の際に特別な処理をすることなく廃棄することのできる包装袋を提供する。【解決手段】一方のサイドシール部を広幅にして広幅サイドシール部３を設け、広幅サイドシール部に、縦方向に２本の折目線７ａ、７ｂを設け、また、広幅サイドシール部の端部に差込突起８ａ、８ｂを設け、広幅サイドシール部の中間部の２本の折目線より内側に差込突起を差し込む差込係止部９ａ、９ｂを設けた。【選択図】図３
2015134624.tif 000002
【特許請求の範囲】
【請求項１】
一方のサイドシール部を広幅にして広幅サイドシール部を設け、該広幅サイドシール部に、縦方向に２本の折目線を設けたことを特徴とする包装袋。
【請求項２】
一方のサイドシール部を広幅にして広幅サイドシール部を設け、該広幅サイドシール部の端部に差込突起を設け、該広幅サイドシール部の中間部に該差込突起を差し込む差込係止部を設けたことを特徴とする包装袋。
【請求項３】
一方のサイドシール部を広幅にして広幅サイドシール部を設け、該広幅サイドシール部に、縦方向に２本の折目線を設け、該広幅サイドシール部の端部に差込突起を設け、該広幅サイドシール部の中間部の前記２本の折目線より内側に該差込突起を差し込む差込係止部を設けたことを特徴とする包装袋。
【請求項４】
前記差込突起の上端縁は、根元側より先端側が高くなるように設けられていることを特徴とする請求項２または３に記載の包装袋。
【請求項５】
前記包装袋は天シール部を有し、該天シール部と他方の前記サイドシール部との隅部に注出口を設けたことを特徴とする請求項1から４のいずれか1項に記載の包装袋。
【請求項６】
前記注出口に口栓が設けられていることを特徴とする請求項５に記載の包装袋。
【請求項７】
前記包装袋が、底部に２つ折りした底テープが折り部を上にして差し込まれ、船底型にシールされたスタンディングパウチであることを特徴とする請求項１から６のいずれか1項に記載の包装袋。
【発明の詳細な説明】
【技術分野】
【０００１】
本発明は、包装袋に関するものである。
【背景技術】
【０００２】
包装袋は、比較的コストが低く、密封することもできるため、色々な用途に用いられ、固形、粉粒体、液体などさまざまな内容物の包装に用いられている。内容物が固形であれば、腰のない包装袋でも特に問題がないが、粉粒体や液体の内容物を注ぎ出したりするとき、腰がないために、安定して注ぎだすことができない。
【０００３】
特に、シャンプー、リンス、パーマ液、ヘアカラー液、液体洗濯用洗剤、柔軟剤等の液体の内容物を収納する包装袋では、詰め替え用に限らず、直接使用される用途にも用いられ、注ぎやすさが求められている。
【０００４】
包装袋に注ぎやすさを持たせるために、例えば、図６のように、プラスチックシートを２つ折りし、その３辺をヒートシールしてシール部４１、４２、４３を設け、図６のように、1辺のシール部４２に板紙４４を封入して把持部とした包装袋４００や、板紙の代わりに、紙管やストロー等の棒状物を封入して把持部とした洗剤詰め替え用容器としての包装袋がある。あるいは、板紙の代わりに、空気をできるだけ圧力をかけて充填したりして、把持部とした洗剤詰め替え用容器としての包装袋がある（特許文献１）。
【０００５】
前記の包装袋では、把持部を掴むことができるので掴みやすく注ぎやすいが、板紙や棒状物を封入したり、空気を充填したりするために、通常の製袋のほかに、特別な装置や特別な工程が必要になる。
【０００６】
また、内容物を使い終わった包装袋を廃棄する際には、分別廃棄のため、板紙や棒状物を取り出して、別途廃棄したり、切断して空気を抜いたりする必要があり、廃棄に手間が掛かるといった問題もある。
【０００７】
公知文献を以下に示す。
【先行技術文献】
【特許文献】
【０００８】
【特許文献１】特開平６−１２２４５９号公報
【発明の概要】
【発明が解決しようとする課題】
【０００９】
本発明は上記のような事情に鑑みてなされたもので、特別な装置を用いたり、特別な工程を設けたりすることなく製造でき、掴みやすく、注ぎやすい。また、廃棄の際に特別な処理をすることなく廃棄することのできる包装袋を提供することを課題とする。
【課題を解決するための手段】
【００１０】
本発明は係る課題に鑑みなされたものであり、請求項１の発明は、一方のサイドシール部を広幅にして広幅サイドシール部を設け、該広幅サイドシール部に、縦方向に２本の折目線を設けたことを特徴とする包装袋である。
【００１１】
本発明の請求項２の発明は、一方のサイドシール部を広幅にして広幅サイドシール部を設け、該広幅サイドシール部の端部に差込突起を設け、該広幅サイドシール部の中間部に
該差込突起を差し込む差込係止部を設けたことを特徴とする包装袋である。
【００１２】
本発明の請求項３の発明は、一方のサイドシール部を広幅にして広幅サイドシール部を設け、該広幅サイドシール部に、縦方向に２本の折目線を設け、該広幅サイドシール部の端部に差込突起を設け、該広幅サイドシール部の中間部の前記２本の折目線より内側に該差込突起を差し込む差込係止部を設けたことを特徴とする包装袋である。
【００１３】
本発明の請求項４の発明は、前記差込突起の上端縁は、根元側より先端側が高くなるように設けられていることを特徴とする請求項２または３に記載の包装袋である。
【００１４】
本発明の請求項５の発明は、前記包装袋は天シール部を有し、該天シール部と他方の前記サイドシール部との隅部に注出口を設けたことを特徴とする請求項1から４のいずれか1項に記載の包装袋である。
【００１５】
本発明の請求項６の発明は、前記注出口に口栓が設けられていることを特徴とする請求項５に記載の包装袋である。
【００１６】
本発明の請求項７の発明は、前記包装袋が、底部に２つ折りした底テープが折り部を上にして差し込まれ、船底型にシールされたスタンディングパウチであることを特徴とする請求項１から６のいずれか1項に記載の包装袋である。
【発明の効果】
【００１７】
本発明の包装袋は、特別な装置を用いたり、特別な工程を設けたりすることなく製造でき、掴みやすく、注ぎやすい。また、廃棄の際に特別な処理をすることなく廃棄することができる。
【図面の簡単な説明】
【００１８】
【図１】本発明の包装袋の第１の実施形態を模式的に平面で示した説明図である。
【図２】本発明の包装袋の第２の実施形態を模式的に平面で示した説明図である。
【図３】本発明の包装袋の第３の実施形態を模式的に平面で示した説明図である。
【図４】本発明の包装袋の第３の実施形態で、広幅サイドシール部を折って、係止させた状態を模式的に平面で示した説明図である。
【図５】本発明の包装袋の第３の実施形態で、広幅サイドシール部を折って、係止させた状態を模式的に上から見た面で示した説明図である。
【図６】従来の包装袋の一例を模式的に斜視で示した説明図である。
【発明を実施するための形態】
【００１９】
＜第１の実施形態＞
以下、本発明を実施するための第１の実施形態につき説明する。
図１は、本発明の包装袋の第１の実施形態を模式的に平面で示した説明図である。
【００２０】
第１の実施形態の包装袋１００は、表裏２枚のフィルムの間の底部に２つ折りした底テープ１を、折り部を上にして差し込み、船底型にシールして底シール部２を形成したスタンディングパウチである。
【００２１】
サイドシール部の一方を幅広にして広幅サイドシール部３を設けている。また、他方のサイドシール部４と天シール部５との隅部に注出口を設けている。注出口にはキャップ６ａとスパウト６ｂからなる口栓６が、表裏２枚のフィルムの間にスパウト６ｂの基部が挟まれてシール密着して設けられている。
【００２２】
広幅サイドシール部３には、縦方向に２本の直線状の折目線７ａ、７ｂが設けられている。本例の包装袋１００の折目線７ａ、７ｂは、小さな点状の貫通孔が線状に並んだミシン目で設けられている。これに限らず、折目線７ａ、７ｂは、小さな点状の貫通孔ではなく、破線状の切れ込みにしてもよい。
【００２３】
このように、一方のサイドシール部を広幅サイドシール部３にして、この広幅サイドシール部３に縦方向に２本の直線状の折目線７ａ、７ｂを設けているので、この折目線７ａ、７ｂに沿って、同方向に２回折って、広幅サイドシール部３の端部を内方に向けることによって、折った広幅サイドシール部３の断面が三角形状になり、掴みやすくなる。
【００２４】
そして、この掴みやすくなった広幅サイドシール部３を持って、内容物を口栓６のスパウト６ｂから容易に注ぎだすことができる。
【００２５】
また、このような構造であるので、包装袋１００の外形を打ち抜く際に、同時に折目線７ａ、７ｂを設けることができ、特別な装置を用いたり、特別な工程を設けたりすることなく製造できる。
【００２６】
また、内容物を使い切って廃棄するときも、把持部に板紙や棒状物を設けておらず、また、空気を充填してもいないので、把持部を切ってなかのものを出す必要もなく、そのまま廃棄することができる。
【００２７】
広幅サイドシール部３と反対側のサイドシール部４と天シール部５との隅部に注出口を設けているので、広幅サイドシール部３側を持って、注ぎやすく広がらずに注ぐことができる。
【００２８】
また、注出口に口栓６が設けられているので再封することができる。更には、スタンディングパウチであるので、自立性があり、開封後も立てておいて置くことができ、また、店頭での陳列においても、場所を取らず、目立ちやすい。
【００２９】
＜第２の実施形態＞
以下本発明を実施するための第２の実施形態につき説明する。
図２は、本発明の包装袋の第２の実施形態を模式的に平面で示した説明図である。
【００３０】
第２の実施形態の包装袋２００は、包装袋１００と同様に、表裏２枚のフィルムの間の底部に２つ折りした底テープ１を、折り部を上にして差し込み、船底型にシールして底シール部２を形成したスタンディングパウチである。
【００３１】
サイドシール部の一方を幅広にして広幅サイドシール部３を設けている。また、他方のサイドシール部４と天シール部５との隅部に注出口を設けている。注出口にはキャップ６ａとスパウト６ｂからなる口栓６が、表裏２枚のフィルムの間にスパウト６ｂの基部が挟まれてシール密着して設けられている。
【００３２】
広幅サイドシール部３の端部には、外側に突き出した２つの差込突起８ａ、８ｂが設けられている。そして、広幅サイドシール部３の中間部に差込突起８ａ、８ｂを差し込むための差込係止部９ａ、９ｂが設けられている。差込係止部９ａ、９ｂは切れ目によって設けられている。
【００３３】
差込突起８ａ、８ｂの上端縁は、根元側より先端側が高くなるように設けられている。本例の包装袋２００では図２のように、差込突起８ａ、８ｂの上端縁は、包装袋２００を立てたときの垂線に対する角度θが、鋭角に上向きになるように設けられている。
【００３４】
このように、一方のサイドシール部を広幅サイドシール部３にして、広幅サイドシール部３の端部に、外側に突き出した２つの差込突起８ａ、８ｂを設け、広幅サイドシール部３の中間部に差込突起８ａ、８ｂを差し込むための差込係止部９ａ、９ｂを設けているので、広幅サイドシール部３を曲げて、差込突起８ａを差込係止部９ａに、差込突起８ｂを差込係止部９ｂに差し込んで係止させ、広幅サイドシール部３を筒状に丸めることができ、広幅サイドシール部３が掴みやすくなる。
【００３５】
そして、この掴みやすくなった広幅サイドシール部３を持って、内容物を口栓６のスパウト６ｂから容易に注ぎだすことができる。
【００３６】
また、差込突起８ａ、８ｂの上端縁を、包装袋２００を立てたときの垂線に対する角度θが、鋭角に上向きになるように設けて、根元側より先端側が高くなるように設けられているので、広幅サイドシール部３を持って持ち上げて、内容物の加重によって下げる力が加わると、差込突起８ａ、８ｂが差込係止部９ａ、９ｂから外れにくくなり、しっかりと係止される。
【００３７】
また、このような構造であるので、製造において、包装袋２００の外形を打ち抜く際に、差込突起８ａ、８ｂを設け、同時に差込係止部９ａ、９ｂの切れ目を設けることができ、特別な装置を用いたり、特別な工程を設けたりすることなく製造することができる。
【００３８】
また、内容物を使い切って廃棄するときも、把持部に板紙や棒状物を設けておらず、また、空気を充填してもいないので、把持部を切ってなかのものを出す必要もなく、そのまま廃棄することができる。
【００３９】
そして、広幅サイドシール部３と反対側のサイドシール部４と天シール部５との隅部に注出口を設けているので、広幅サイドシール部３側を持って、注ぎやすく広がらずに注ぐことができる。
【００４０】
また、注出口に口栓６が設けられているので再封することができる。更には、スタンディングパウチであるので、自立性があり、開封後も立てておいて置くことができ、また、店頭での陳列においても、場所を取らず、目立ちやすい。
【００４１】
＜第３の実施形態＞
以下本発明を実施するための第３の実施形態につき説明する。
図３は、本発明の包装袋の第３の実施形態を模式的に平面で示した説明図である。
図４は、本発明の包装袋の第３の実施形態で、広幅サイドシール部を折って、係止させた状態を模式的に平面で示した説明図である。
図５は、本発明の包装袋の第３の実施形態で、広幅サイドシール部を折って、係止させた状態を模式的に上から見た面で示した説明図である。
【００４２】
第３の実施形態の包装袋３００は、包装袋１００と同様に、表裏２枚のフィルムの間の底部に２つ折りした底テープ１を、折り部を上にして差し込み、船底型にシールして底シール部２を形成したスタンディングパウチである。
【００４３】
サイドシール部の一方を幅広にして広幅サイドシール部３を設けている。また、他方のサイドシール部４と天シール部５との隅部に注出口を設けている。注出口にはキャップ６ａとスパウト６ｂからなる口栓６が、表裏２枚のフィルムの間にスパウト６ｂの基部が挟まれてシール密着して設けられている。
【００４４】
広幅サイドシール部３には、縦方向に２本の直線状の折目線７ａ、７ｂが設けられている。本例の包装袋１００の折目線７ａ、７ｂは、小さな点状の貫通孔が線状に並んだミシン目で設けられている。これに限らず、折目線７ａ、７ｂは、小さな点状の貫通孔ではなく、破線状の切れ込みにしてもよい。
【００４５】
また、広幅サイドシール部３の端部には、外側に突き出した２つの差込突起８ａ、８ｂが設けられている。そして、広幅サイドシール部３の中間部の前記２本の折目線７ａ、７ｂより内側に差込突起８ａ、８ｂを差し込むための差込係止部９ａ、９ｂが設けられている。差込係止部９ａ、９ｂは切れ目によって設けられている。
【００４６】
差込突起８ａ、８ｂの上端縁は、根元側より先端側が高くなるように設けられている。本例の包装袋３００では図３のように、差込突起８ａ、８ｂの上端縁は、包装袋２００を立てたときの垂線に対する角度θが、鋭角に上向きになるように設けられている。
【００４７】
このように、一方のサイドシール部を広幅サイドシール部３にして、広幅サイドシール部３の端部に、外側に突き出した２つの差込突起８ａ、８ｂを設け、広幅サイドシール部３の中間部に差込突起８ａ、８ｂを差し込むための差込係止部９ａ、９ｂを設けているので、折目線７ａ、７ｂに沿って、同方向に２回折って、広幅サイドシール部３の端部を内方に向け、差込突起８ａを差込係止部９ａに、差込突起８ｂを差込係止部９ｂに差し込んで係止させると、図４、図５のように、広幅サイドシール部３を折った広幅サイドシール部３の断面が三角形状になり、掴みやすくなる。
【００４８】
そして、この掴みやすくなった広幅サイドシール部３を持って、内容物を口栓６のスパウト６ｂから容易に注ぎだすことができる。
【００４９】
また、差込突起８ａ、８ｂの上端縁を、包装袋２００を立てたときの垂線に対する角度θが、鋭角に上向きになるように設けて、根元側より先端側が高くなるように設けられているので、広幅サイドシール部３を持って持ち上げて、内容物の加重によって下げる力が加わると、差込突起８ａ、８ｂが差込係止部９ａ、９ｂから外れにくくなり、しっかりと係止される。
【００５０】
また、このような構造であるので、包装袋３００の外形を打ち抜く際に、差込突起８ａ、８ｂを設け、同時に折目線７ａ、７ｂのミシン目と差込係止部９ａ、９ｂの切れ目を設けることができ、特別な装置を用いたり、特別な工程を設けたりすることなく製造することができる。
【００５１】
また、内容物を使い切って廃棄するときも、把持部に板紙や棒状物を設けておらず、また、空気を充填してもいないので、把持部を切ってなかのものを出す必要もなく、そのまま廃棄することができる。
【００５２】
そして、広幅サイドシール部３と反対側のサイドシール部４と天シール部５との隅部に注出口を設けているので、広幅サイドシール部３側を持って、注ぎやすく広がらずに注ぐことができる。
【００５３】
また、注出口に口栓６が設けられているので再封することができる。更には、スタンディングパウチであるので、自立性があり、開封後も立てておいて置くことができ、また、店頭での陳列においても、場所を取らず、目立ちやすい。
【００５４】
本発明の包装袋１００、２００、３００を構成する表裏フィルムや底テープは、少なくとも外層の基材層と最内層のシーラント層を貼り合わせた積層フィルムからなっている。
その基材層には、樹脂の延伸フィルムが多く用いられ、その基材層としては、二軸延伸ナイロンフィルム、二軸延伸ポリエチレンテレフタレートフィルム、二軸延伸ポリプロピレンフィルムなどを用いることが出来る。
【００５５】
また、それらのフィルムにアルミニウム、あるいは、酸化アルミニウムや酸化ケイ素などを蒸着した蒸着フィルムが、収納される内容物や袋の用途等によって適宜用いることができる。
【００５６】
また、最内層のシーラント層としては、ヒートシール性のある直鎖低密度ポリエチレン、低密度ポリエチレン、中密度ポリエチレンなどのポリエチレン系フィルムあるいは無延伸ポリプロピレンフィルムなどを用いることができる。
【００５７】
更に、基材層とシーラント層との間に、内容物の保護等を目的として、例えばガスバリア性を目的とするエチレン−ビニルアルコール共重合樹脂フィルム（ＥＶＯＨ）、アルミニウムあるいは酸化アルミニウムや酸化ケイ素などを蒸着した蒸着フィルムあるいはアルミニウム箔など、あるいは耐屈曲ピンホール性の向上を目的として二軸延伸あるいは、未延伸のナイロンフィルムを積層してもよく、目的に応じて３層、４層からなる積層フィルムを用いることができる。
【符号の説明】
【００５８】
１００、２００、３００・・・包装袋
１・・・底テープ
２・・・底シール部
３・・・広幅サイドシール部
４・・・他方のサイドシール部
５・・・天シール部
６・・・口栓
６ａ・・・キャップ
６ｂ・・・スパウト
７ａ、７ｂ・・・折目線
８ａ、８ｂ・・・差込突起
９ａ、９ｂ・・・差込係止部
【図１】
2015134624.tif 000003
【図２】
2015134624.tif 000004
【図３】
2015134624.tif 000005
【図４】
2015134624.tif 000006
【図５】
2015134624.tif 000007
【図６】
2015134624.tif 000008